(57)【要約】【課題】１つのセンサにより往路書込と復路書込とを行う画像形成方法において、両ライン潜像の書込位置の相対的な位置関係を調整して高品質な画像を形成する。【解決手段】書込処理（ステップＳ３〜Ｓ９）を実行する前に書込タイミング補正処理（ステップＳ２）が実行される。この補正処理（ステップＳ２）では、光ビームを往復走査させながら第１検知信号が出力されてから復路側待機時間Ｔw2が経過し、さらに書込時間が経過した時点から復路光ビームをセンサが検知して第２検知信号が出力されるまでのセンサ到達時間が求められる。そして、該センサ到達時間と往路側待機時間Ｔw1とがほぼ一致するように復路側待機時間Ｔw2が補正される。このように復路側待機時間Ｔw2が補正されることで復路ライン潜像の書込開始位置が調整されてライン潜像の相対的な位置ずれが解消される。【選択図】図９
2007098702.tif 000002
【特許請求の範囲】
【請求項１】
振動する偏向ミラー面によって光ビームを潜像担持体の有効画像領域に対応する第１走査範囲よりも広い第２走査範囲で主走査方向に往復走査可能に構成された画像形成装置において、前記主走査方向の一方側である往路側で前記第１走査範囲を外れた位置を移動する光ビームをセンサで検知して検知信号を得るとともに、前記検知信号に基づき往復走査光ビームによる前記潜像担持体への潜像書込を行う画像形成方法であって、
前記主走査方向とほぼ直交する副走査方向に前記潜像担持体を移動させながら、前記往路側から前記主走査方向の他方側である復路側に走査される往路光ビームを前記センサが検知して第１検知信号を出力するたびに下記の往復書込を行って前記潜像担持体上に２次元潜像を形成する書込工程と、
前記書込工程を行う前に、光ビームを往復走査させながら前記第１検知信号が出力されてから前記第２待機時間が経過し、さらに前記書込時間が経過した時点から前記復路光ビームを前記センサが検知して第２検知信号が出力されるまでの時間をセンサ到達時間として求め、該センサ到達時間と前記第１待機時間とがほぼ一致するように前記第２待機時間を補正する書込前補正工程と
を備えたことを特徴とする画像形成方法。
前記往復書込は、第１検知信号の出力から第１待機時間が経過した時点より所定の書込時間だけ前記往路光ビームによりライン潜像を書き込むのに続けて該第１検知信号の出力から第２待機時間が経過した時点より前記書込時間だけ前記復路側から前記往路側に走査される復路光ビームによりライン潜像を書き込むものである。
【請求項２】
前記書込前補正工程では、前記センサ到達時間と前記第１待機時間とがほぼ一致するように前記第２待機時間とともに前記第１待機時間を補正する請求項１記載の画像形成方法。
【請求項３】
各往復書込を行うたびに下記の書込中補正工程を実行するとともに、前記書込中補正工程を行った直後に行われる往復書込では、前回と同じ書込タイミングで往路光ビームによる潜像書込を行う一方、前記書込中補正工程により補正された書込タイミングで復路光ビームによる潜像書込を行う請求項１または２記載の画像形成方法。
前記書込中補正工程は、前記第１検知信号が出力されてから前記第２待機時間が経過し、さらに前記書込時間が経過した時点から前記復路光ビームを前記センサが検知して第２検知信号が出力されるまでの時間をセンサ到達時間として求め、該センサ到達時間と前記第１待機時間とがほぼ一致するように前記第２待機時間を補正する工程である。
【請求項４】
前記書込中補正工程では、前記センサ到達時間と前記第１待機時間とがほぼ一致するように前記第２待機時間とともに前記第１待機時間を補正する請求項３記載の画像形成方法。
【請求項５】
振動する偏向ミラー面によって光ビームを潜像担持体の有効画像領域に対応する第１走査範囲よりも広い第２走査範囲で主走査方向に往復走査可能に構成された画像形成装置において、前記主走査方向の一方側である往路側で前記第１走査範囲を外れた位置を移動する光ビームをセンサで検知して検知信号を得るとともに、前記検知信号に基づき往復走査光ビームによる前記潜像担持体への潜像書込を行う画像形成方法であって、
前記主走査方向とほぼ直交する副走査方向に前記潜像担持体を移動させながら、前記往路側から前記主走査方向の他方側である復路側に走査される往路光ビームを前記センサが検知して第１検知信号を出力するたびに下記の往復書込を行って前記潜像担持体上に２次元潜像を形成する書込工程と、
前記書込工程前に第１待機時間および第２待機時間をメモリに記憶する記憶工程と、
各往復書込を行うたびに、前記第１検知信号が出力されてから前記第２待機時間が経過し、さらに前記書込時間が経過した時点から前記復路光ビームを前記センサが検知して第２検知信号が出力されるまでの時間をセンサ到達時間として求め、該センサ到達時間と前記第１待機時間とがほぼ一致するように前記第２待機時間を補正する書込中補正工程と
を備えたことを特徴とする画像形成方法。
前記往復書込は、第１検知信号の出力から第１待機時間が経過した時点より所定の書込時間だけ前記往路光ビームによりライン潜像を書き込むのに続けて該第１検知信号の出力から第２待機時間が経過した時点より前記書込時間だけ前記復路側から前記往路側に走査される復路光ビームによりライン潜像を書き込むものである。
【請求項６】
前記書込中補正工程では、前記センサ到達時間と前記第１待機時間とがほぼ一致するように前記第２待機時間とともに前記第１待機時間を補正する請求項５記載の画像形成方法。
【発明の詳細な説明】
【技術分野】
【０００１】
この発明は、振動する偏向ミラー面によって光ビームを潜像担持体の有効画像領域上に往復走査させて前記有効画像領域に潜像を形成する画像形成方法に関するものである。
【背景技術】
【０００２】
光源から射出される光ビームをガルバノミラーや共振型スキャナーなどの振動ミラーによって偏向して感光体ドラムなどの潜像担持体上に往復走査させ、往路光ビームにより往路ライン潜像を形成する一方、復路光ビームにより復路ライン潜像を形成する装置が従来より知られている。例えば特許文献１に記載の画像形成装置では、光源としてレーザダイオードが用いられ、レーザダイオードから画像信号に応じた光強度の光ビームが射出される。そして、このように光変調された光ビームはガルバノミラーの偏向ミラー面により偏向された後、感光体ドラムに導かれて該感光体ドラム上を主走査方向の一方側である往路側から他方側である復路側に往路走査する。これによって画像信号に対応した往路ライン潜像が潜像担持体上に形成される。また、復路側についても、往路側と同様にして復路ライン潜像が形成される。
【０００３】
また、受光ダイオードなどの受光素子からなるセンサが感光体ドラムの一方端側に隣接して配置されて走査光ビームを検知する。そして、そのセンサの出力に基づいて往路光ビームによる往路ライン潜像の書込タイミングを制御するとともに、同一のセンサ出力に基づき復路光ビームによる復路ライン潜像の書込タイミングを制御している。すなわち、センサから検知信号が出力されると、信号出力からの経過時間をカウントし、該カウント値が予め定められた第１の値（本発明の「第１待機時間」に相当）となった時点で往路側のライン潜像の書込（往路書込）を開始し、さらに該カウント値が第２の値（本発明の「第２待機時間」に相当）となった時点で復路側のライン潜像の書込を開始する。これによって、１つのセンサによる往復書込が可能となっている。
【０００４】
【特許文献１】特開２００４−２３０６２９号公報（第６頁、図４〜図６）
【発明の開示】
【発明が解決しようとする課題】
【０００５】
しかしながら、振動ミラーの振動特性は振動ミラーの個体差、組立精度、さらには機内温度などの種々の要因により変動する。したがって、上記従来技術のようにセンサ出力から予め定められた時間が経過した時点で画一的にライン潜像の書込を開始する装置では、振動ミラーの振動特性が変動することで往路側のライン潜像と復路側のライン潜像が主走査方向に相対的にずれてしまい、画質低下が発生することがあった。
【０００６】
この発明は上記課題に鑑みなされたものであり、１つのセンサにより往路光ビームによるライン潜像書込と復路光ビームによるライン潜像書込とを行う画像形成方法において、両ライン潜像の書込位置の相対的な位置関係を調整して高品質な画像を形成することを目的とする。
【課題を解決するための手段】
【０００７】
本発明にかかる画像形成方法は、振動する偏向ミラー面によって光ビームを潜像担持体の有効画像領域に対応する第１走査範囲よりも広い第２走査範囲で主走査方向に往復走査可能に構成された画像形成装置において、主走査方向の一方側である往路側で第１走査範囲を外れた位置を移動する光ビームをセンサで検知して検知信号を得るとともに、検知信号に基づき往復走査光ビームによる潜像担持体への潜像書込を行う画像形成方法であって、上記目的を達成するため、主走査方向とほぼ直交する副走査方向に潜像担持体を移動させながら、往路側から主走査方向の他方側である復路側に走査される往路光ビームをセンサが検知して第１検知信号を出力するたびに下記の往復書込を行って潜像担持体上に２次元潜像を形成する書込工程と、書込工程を行う前に、光ビームを往復走査させながら第１検知信号が出力されてから第２待機時間が経過し、さらに書込時間が経過した時点から復路光ビームをセンサが検知して第２検知信号が出力されるまでの時間をセンサ到達時間として求め、該センサ到達時間と第１待機時間とがほぼ一致するように第２待機時間を補正する書込前補正工程とを備えたことを特徴としている。なお、往復書込は、第１検知信号の出力から第１待機時間が経過した時点より所定の書込時間だけ往路光ビームによりライン潜像を書き込むのに続けて該第１検知信号の出力から第２待機時間が経過した時点より書込時間だけ復路側から往路側に走査される復路光ビームによりライン潜像を書き込むものである。
【０００８】
このように構成された発明では、センサにより光ビームが検知されて第１検知信号が出力されると、該第１検知信号の出力から第１待機時間が経過した時点より所定の書込時間だけ往路光ビームによりライン潜像が書き込まれて往路ライン潜像が形成される。また、その往路ライン潜像の形成に続いて、該第１検知信号の出力から第２待機時間が経過した時点より書込時間だけ復路側から往路側に走査される復路光ビームによりライン潜像が書き込まれる。このように１つのセンサにより往復書込が行われる。ここで、従来より問題となっていたのが、往路ライン潜像と復路ライン潜像との主走査方向における相対位置ずれであるが、本発明では書込工程を実行する前に書込前補正工程を実行することで相対位置ずれが解消されている。すなわち、この書込前補正工程では、光ビームを往復走査させながら第１検知信号が出力されてから第２待機時間が経過し、さらに書込時間が経過した時点から復路光ビームをセンサが検知して第２検知信号が出力されるまでの時間がセンサ到達時間として求められる。そして、該センサ到達時間と第１待機時間とがほぼ一致するように第２待機時間が補正される。このように第２待機時間が補正されることで復路ライン潜像の書込開始位置が調整されて往路ライン潜像との相対的な位置ずれが解消される。その結果、高品質な画像が形成される。
【０００９】
ここでは、書込工程を実行する前に書込前補正工程を実行しているが、各往復書込を行うたびに書込前補正工程と同様の書込中補正工程を実行してもよい。すなわち、この書込中補正工程では、往復書込の後半では復路光ビームによる書込が完了した後に該復路光ビームがセンサにより検知されて第２検知信号が出力され、センサ到達時間が求めれる。そして、センサ到達時間と第１待機時間とがほぼ一致するように第２待機時間が補正される。また、こうして書込中補正工程を行った直後に行われる往復書込では、前回と同じ書込タイミング（第１待機時間）で往路光ビームによる潜像書込が行われる（往路書込）一方、補正工程により補正された書込タイミング（第２待機時間）で復路光ビームによる潜像書込が行われる（復路書込）。このように往復書込を連続的に行いながら、第２待機時間を補正することによって、書込工程の実行中に偏向ミラー面の振動特性が変動したとしても、それに追随して復路ライン潜像の書込開始位置が調整されて往路ライン潜像との相対的な位置ずれが解消される。
【００１０】
また、補正工程において往路ライン潜像と復路ライン潜像との主走査方向における相対位置ずれを解消するために、第２待機時間のみを補正してもよいが、もちろん、第１および第２待機時間の両方を補正するようにしてもよい。
【００１１】
なお、上記発明においては、書込工程前に補正工程を実行しているが、書込工程前に第１待機時間および第２待機時間をメモリに記憶しておき、書込工程を開始すると、各往復書込を行うたびに書込中補正工程を行うように構成してもよい。この場合、書込工程における最初の往復書込では、メモリに記憶された第１および第２待機時間に基づき実行されるとともに、その往復書込の後半では復路光ビームによる書込が完了した後に該復路光ビームがセンサにより検知されて第２検知信号が出力され、センサ到達時間が求めれる。そして、センサ到達時間と第１待機時間とがほぼ一致するように第２待機時間が補正される。また、こうして書込中補正工程を行った直後に行われる往復書込では、前回と同じ書込タイミング（第１待機時間）で往路光ビームによる潜像書込が行われる（往路書込）一方、書込中補正工程により補正された書込タイミング（第２待機時間）で復路光ビームによる潜像書込が行われる（復路書込）。このように往復書込を連続的に行いながら、第２待機時間を補正することによって、書込工程の実行中に偏向ミラー面の振動特性が変動したとしても、それに追随して復路ライン潜像の書込開始位置が調整されて往路ライン潜像との相対的な位置ずれが解消される。また、このように構成された発明においても、往路ライン潜像と復路ライン潜像との主走査方向における相対位置ずれを解消するために、第１および第２待機時間の両方を補正するようにしてもよい。
【発明を実施するための最良の形態】
【００１２】
図１はこの発明にかかる画像形成方法の一実施形態を適用可能な画像形成装置を示す図である。また、図２は図１の画像形成装置の電気的構成を示すブロック図である。この画像形成装置は、いわゆるタンデム方式のカラープリンタであり、潜像担持体としてイエロー（Ｙ）、マゼンタ（Ｍ）、シアン（Ｃ）、ブラック（Ｋ）の４色の感光体２Ｙ、２Ｍ、２Ｃ、２Ｋを装置本体５内に並設している。そして、各感光体２Ｙ、２Ｍ、２Ｃ、２Ｋ上のトナー像を重ね合わせてフルカラー画像を形成したり、ブラック（Ｋ）のトナー像のみを用いてモノクロ画像を形成する装置である。すなわち、この画像形成装置では、ユーザからの画像形成要求に応じてホストコンピュータなどの外部装置から画像形成指令がＣＰＵやメモリなどを有するメインコントローラ１１に与えられると、この画像形成指令に対応する画像信号や制御信号などがメインコントローラ１１からエンジンコントローラ１０に与えられる。そして、エンジンコントローラ１０のＣＰＵがエンジン部ＥＧの各部を制御して複写紙、転写紙、用紙およびＯＨＰ用透明シートなどのシートＳに画像形成指令に対応する画像を形成する。
【００１３】
このエンジン部ＥＧでは、４つの感光体２Ｙ、２Ｍ、２Ｃ、２Ｋのそれぞれに対応して帯電ユニット、現像ユニット、露光ユニットおよびクリーニング部が設けられている。このように、各トナー色ごとに、感光体、帯電ユニット、現像ユニット、露光ユニットおよびクリーニング部を備えて該トナー色のトナー像を形成する画像形成手段が設けられている。なお、これらの画像形成手段（感光体、帯電ユニット、現像ユニット、露光ユニットおよびクリーニング部）の構成はいずれの色成分についても同一であるため、ここではイエローに関する構成について説明し、その他の色成分については相当符号を付して説明を省略する。
【００１４】
感光体２Ｙは図１の矢印方向（副走査方向）に回転自在に設けられている。また、感光体２Ｙの周りにその回転方向に沿って、帯電ユニット３Ｙ、現像ユニット４Ｙおよびクリーニング部（図示省略）がそれぞれ配置されている。帯電ユニット３Ｙは例えばスコロトロン帯電器で構成されており、帯電バイアス印加によって感光体２Ｙの外周面を所定の表面電位に均一に帯電させる。そして、この帯電ユニット３Ｙによって帯電された感光体２Ｙの外周面に向けて露光ユニット６Ｙから走査光ビームＬyが照射される。これによって画像形成指令に含まれるイエロー画像データに対応する静電潜像が感光体２Ｙ上に形成される。なお、露光ユニット６（６Ｙ，６Ｍ，６Ｃ，６Ｋ）の構成および動作については後で詳述する。
【００１５】
こうして形成された静電潜像は現像ユニット４Ｙによってトナー現像される。この現像ユニット４Ｙはイエロートナーを内蔵している。そして、現像バイアスが現像ローラ４１Ｙに印加されると、現像ローラ４１Ｙ上に担持されたトナーが感光体２Ｙの表面各部にその表面電位に応じて部分的に付着する。その結果、感光体２Ｙ上の静電潜像がイエローのトナー像として顕像化される。
【００１６】
現像ユニット４Ｙで現像されたイエロートナー像は、一次転写領域ＴＲy1で転写ユニット７の中間転写ベルト７１上に一次転写される。また、イエロー以外の色成分についても、イエローと全く同様に構成されており、感光体２Ｍ、２Ｃ、２Ｋ上にマゼンタトナー像、シアントナー像、ブラックトナー像がそれぞれ形成されるとともに、一次転写領域ＴＲm1、ＴＲc1、ＴＲk1でそれぞれ中間転写ベルト７１上に一次転写される。
【００１７】
この転写ユニット７は、２つのローラ７２、７３に掛け渡された中間転写ベルト７１と、ローラ７２を回転駆動することで中間転写ベルト７１を所定の回転方向Ｒ2に回転させるベルト駆動部（図示省略）とを備えている。また、中間転写ベルト７１を挟んでローラ７３と対向する位置には、該ベルト７１表面に対して不図示の電磁クラッチにより当接・離間移動可能に構成された二次転写ローラ７４が設けられている。そして、カラー画像をシートＳに転写する場合には、一次転写タイミングを制御することで各トナー像を重ね合わせてカラー画像を中間転写ベルト７１上に形成するとともに、カセット８から取り出されて中間転写ベルト７１と二次転写ローラ７４との間の二次転写領域ＴＲ2に搬送されてくるシートＳ上にカラー画像を二次転写する。一方、モノクロ画像をシートＳに転写する場合には、ブラックトナー像のみを感光体２Ｋに形成するとともに、二次転写領域ＴＲ2に搬送されてくるシートＳ上にモノクロ画像を二次転写する。また、こうして画像の２次転写を受けたシートＳは定着ユニット９を経由して装置本体の上面部に設けられた排出トレイ部に向けて搬送される。
【００１８】
なお、中間転写ベルト７１へトナー像を一次転写した後の各感光体２Ｙ、２Ｍ、２Ｃ、２Ｋは、不図示の除電手段によりその表面電位がリセットされ、さらに、その表面に残留したトナーがクリーニング部により除去された後、帯電ユニット３Ｙ、３Ｍ、３Ｃ、３Ｋにより次の帯電を受ける。
【００１９】
また、ローラ７２の近傍には、転写ベルトクリーナ７５および濃度センサが配置されている。これらのうち、クリーナ７５は図示を省略する電磁クラッチによってローラ７２に対して近接・離間移動可能となっている。そして、ローラ７２側に移動した状態でクリーナ７５のブレードがローラ７２に掛け渡された中間転写ベルト７１の表面に当接し、二次転写後に中間転写ベルト７１の外周面に残留付着しているトナーを除去する。
【００２０】
図３は図１の画像形成装置に装備された露光ユニットの構成を示す主走査断面図であり、図４は図３の露光ユニットにおける光ビームの走査範囲を示す図であり、図５は図１の画像形成装置の露光ユニットおよび露光ユニットを制御するための露光制御ユニットを示す図である。以下、これらの図面を参照しつつ、露光ユニット６、露光制御ユニット１２の構成および動作について詳述する。なお、露光ユニット６および露光制御ユニット１２の構成はいずれの色成分についても同一であるため、ここではイエローに関する構成について説明し、その他の色成分については相当符号を付して説明を省略する。
【００２１】
図３に示すように、露光ユニット６Ｙは露光筐体６１を有している。そして、露光筐体６１に単一のレーザー光源６２が固着されており、レーザー光源６２から光ビームを射出可能となっている。このレーザー光源６２はメインコントローラ１１からの画像信号Ｓvに基づきＯＮ／ＯＦＦ制御されて該画像信号Ｓvに対応して変調された光ビームがレーザー光源６２から前方に射出される。すなわち、この実施形態では、メインコントローラ１１にビデオクロック発生部１１１が設けられており、基準周波数、例えば６８ＭＨｚのビデオクロック信号ＶＣを出力している。そして、このビデオクロック信号ＶＣを基準として画像出力部１１２がメインコントローラ１１に与えられた画像形成指令に含まれるイエロー画像データに対応する画像信号Ｓvを作成する。この画像信号Ｓvは露光ユニット６Ｙのレーザー光源６２に出力され、該画像信号Ｓvに応じて光ビームは変調され、該変調された光ビームがレーザー光源６２から前方に射出される。
【００２２】
また、この露光筐体６１の内部には、レーザー光源６２からの光ビームを感光体２の表面（図示省略）に走査露光するために、コリメータレンズ６３１、シリンドリカルレンズ６３２、ミラー６４、偏向器６５、走査レンズ６６およびミラー６８が設けられている。すなわち、レーザー光源６２からの光ビームは、コリメータレンズ６３１により適当な大きさのコリメート光にビーム整形された後、副走査方向Ｙにのみパワーを有するシリンドリカルレンズ６３２に入射される。そして、シリンドリカルレンズ６３２を調整することでコリメート光は副走査方向Ｙにおいて偏向器６５の偏向ミラー面６５１付近で結像される。このように、この実施形態では、コリメータレンズ６３１およびシリンドリカルレンズ６３２がレーザー光源６２からの光ビームを整形するビーム整形系６３として機能している。なお、この実施形態では、ビーム整形系６３と偏向器６５の偏向ミラー面６５１との間にミラー６４を設け、いわゆる斜め入射構造を構成している。すなわち、レーザー光源６２からの光ビームは、ビーム整形系６３によりビーム整形された後、ミラー６４により折り返されて偏向器６５の偏向ミラー面６５１の揺動軸（同図紙面に対して垂直な軸）と直交する基準面（紙面と平行な面）に対して鋭角をなすように偏向ミラー面６５１に入射される。
【００２３】
この偏向器６５は半導体製造技術を応用して微小機械を半導体基板上に一体形成するマイクロマシニング技術を用いて形成されるものであり、共振振動する振動ミラーで構成されている。すなわち、偏向器６５では、共振振動する偏向ミラー面６５１により光ビームを主走査方向Ｘに偏向可能となっている。より具体的には、偏向ミラー面６５１は主走査方向Ｘとほぼ直交する揺動軸（ねじりバネ）周りに揺動自在に軸支されるとともに、作動部６５２から与えられる外力に応じて揺動軸周りに揺動する。この作動部６５２はイエロー用の露光制御ユニット１２Ｙのミラー駆動部１２１からのミラー駆動信号に基づき偏向ミラー面６５１に対して静電気的、電磁気的あるいは機械的な外力を作用させて偏向ミラー面６５１をミラー駆動信号の周波数で揺動させる。なお、作動部６５２による駆動方式は静電吸着、電磁気力あるいは機械力などのいずれの方式を採用してもよく、それらの駆動方式は周知であるため、ここでは説明を省略する。
【００２４】
この実施形態では、偏向器６５の振動動作をＯＮ／ＯＦＦ制御するために、エンジンコントローラ１０にミラー駆動制御部１０１が設けられており、エンジンコントローラ１０のＣＰＵがミラー駆動制御部１０１の機能を担っている。すなわち、このミラー駆動制御部１０１は適当なタイミングで偏向器６５の動作周波数と一致する駆動周波数（例えば５ＫＨｚ）を有する駆動信号Ｓdをミラー駆動部１２１に与えて偏向器６５を振動させる。
【００２５】
また、このようにして駆動される偏向器６５には、例えば特開平９−１９７３３４号公報に記載されたような共振周波数調整部６５３が設けられており、偏向器６５の共振周波数を変化させることが可能となっている。すなわち、この共振周波数調整部６５３では偏向器６５のねじりバネ（図示省略）に電気抵抗素子が形成されるとともに、該電気抵抗素子が露光制御ユニット１２Ｙの周波数制御部１２２と電気的に接続されている。そして、周波数制御部１２２による電気抵抗素子への通電制御によりねじりバネの温度が変化する。これによって、ねじりバネのバネ定数が変化し、偏向器６５の共振周波数を変更させることができる。そこで、この実施形態では、後述するように共振周波数がミラー駆動信号（駆動信号Ｓd）の周波数、つまり駆動周波数と不一致である場合には、共振周波数調整部６５３により偏向器６５の共振周波数を変動させて駆動周波数とほぼ一致させている（共振周波数制御）。なお、偏向器６５の共振周波数を変化させる具体的な構成はこれに限定されるものではなく、従来より周知の構成を採用することができる。
【００２６】
また、ミラー駆動部１２１はミラー駆動信号の電圧や電流などの駆動条件を変更設定することができるように構成されている。したがって、必要に応じてミラー駆動信号の電圧を変更設定することが可能となっており、電圧変更によって偏向器６５の振幅値を調整することも可能となっている。
【００２７】
そして、偏向器６５の偏向ミラー面６５１で偏向された光ビームは走査レンズ６６に向けて偏向される。この実施形態では、走査レンズ６６は、感光体２の表面上の有効画像領域ＥＩＲの全域においてＦ値が略同一となるように構成されている。したがって、走査レンズ６６に向けて偏向された光ビームは、走査レンズ６６を介して感光体２Ｙの表面の有効画像領域ＥＩＲに略同一のスポット径で結像される。これにより、光ビームが主走査方向Ｘと平行に走査して主走査方向Ｘに伸びるライン状の潜像が感光体２の表面上に形成される。なお、この実施形態では、偏向器６５により走査可能な走査範囲（本発明の「第２走査範囲」）ＳＲ2は、図３に示すように、有効画像領域ＥＩＲ上で光ビームを走査させるための走査範囲（本発明の「第１走査範囲」）ＳＲ1よりも広く設定されている。また、第１走査範囲ＳＲ1が第２走査範囲ＳＲ2の略中央部に位置しており、光軸に対してほぼ対称となっている。さらに、同図中の符号θirは有効画像領域ＥＩＲの端部に対応する偏向ミラー面６５１の振幅角を示し、符号θsは次に説明する光検知センサに対応する偏向ミラー面６５１の振幅角を示している。
【００２８】
また、この実施形態では、図３および図４に示すように、走査光ビームの走査経路の一方端を折り返しミラー６９ａにより光検知センサ６０に導いている。この折り返しミラー６９ａは第２走査範囲ＳＲ2の一方端部に配置され、主走査方向Ｘの一方側（＋Ｘ）で第１走査範囲ＳＲ1を外れた位置を移動する走査光ビームを光検知センサ６０に導光する。そして、光検知センサ６０により該走査光ビームが受光されてセンサ位置（Ｈsync相当角θs）を通過するタイミングで信号が光検知センサ６０から出力される。このように、この実施形態では、光検知センサ６０によって主走査方向Ｘに走査される光ビームを主走査方向Ｘの一方側（＋Ｘ）で第１走査範囲ＳＲ1から外れた領域で検知することが可能となっており、この光検知センサ６０が本発明の「センサ」に相当している。
【００２９】
なお明細書では、主走査方向Ｘの一方側（＋Ｘ）を「往路側」とする一方、他方側（−Ｘ）を「復路側」とする。また、往路側（＋Ｘ）から復路側（−Ｘ）に走査される光ビームを「往路光ビーム」と称し、該往路光ビームの走査により感光体２にライン潜像を書き込む動作および位置を「往路書込」と称する。逆に、復路側（−Ｘ）から往路側（＋Ｘ）に走査される光ビームを「復路光ビーム」と称し、該復路光ビームの走査により感光体２にライン潜像を書き込む動作および位置を「復路書込」と称する。
【００３０】
また、この実施形態では、光検知センサ６０が第２走査範囲ＳＲ2の往路側端部に配置されているため、往路光ビームの走査初期段階で該光ビームが光検知センサ６０を通過して検知信号Ｈsyncが出力され、また復路光ビームの走査終了段階で該光ビームが光検知センサ６０を通過して検知信号Ｈsyncが出力される。このように光ビームの往復走査ごとに２回の検知信号Ｈsyncが出力される。そこで、これらの信号を区別するため、この明細書では、往路光ビームの検知に対応する検知信号Ｈsyncを「第１検知信号Ｈsync1」とし、逆に復路光ビームの検知に対応する検知信号Ｈsyncを「第２検知信号Ｈsync2」とする。また、これらを区別しないで説明する際には、単に「検知信号Ｈsync」と称する。
【００３１】
このようにして検知される信号Ｈsyncはエンジンコントローラ１０の書込タイミング調整部１０２に与えられる。この書込タイミング調整部１０２には、エンジンコントローラ１０のカウントクロック発生部１０３から計時用クロック信号が与えられており、この計時用クロック信号に基づき書込タイミング調整部１０２は検知信号Ｈsyncからの経過時間を計測し、後述するようなタイミングで画像出力部１１２にビデオリクエスト信号を出力する。そして、この信号を受けた画像出力部１１２がビデオクロック信号ＶＣを基準として画像信号Ｓvを出力する。このように書込タイミング調整部１０２がビデオリクエスト信号の出力タイミングを調整することによって感光体２への潜像の書込位置が調整される。なお、この実施形態では、計時用クロック信号の周波数をビデオクロック信号ＶＣのそれよりも大きな値、例えばビデオクロック信号ＶＣの周波数の４倍に設定している。これによって、ビデオリクエスト信号を高分解能で制御して潜像の書込開始位置を正確に制御することができる。
【００３２】
また、光検知センサ６０による走査光ビームの検知信号Ｈsyncは露光制御ユニット１２Ｙの計測部１２３にも伝達され、該計測部１２３において第１走査範囲ＳＲ1を光ビームが走査する走査時間や駆動周期などに関連する駆動情報が算出される。そして、この計測部１２３において算出された実測情報が周波数制御部１２２に伝達され、周波数制御部１２２は偏向器６５の共振周波数の調整を行う。
【００３３】
図６は図１の画像形成装置の動作を示すフローチャートである。上記のように構成された装置では、偏向器６５が振動停止している状態で画像形成指令が与えられると、画像形成開始前に起動処理（ステップＳ１）を実行し、さらに本発明の「書込前補正工程」に相当する書込タイミング補正処理（ステップＳ２）を実行した上で、感光体２を副走査方向Ｙに移動させながら書込処理（ステップＳ３〜Ｓ９）を行って２次元潜像を形成する。
【００３４】
図７は図１の画像形成装置で実行される起動処理を示すフローチャートである。また、図８は起動処理の動作を示す図である。この起動処理（ステップＳ１）が開始されると、ステップＳ１１で偏向器６５を作動させるための駆動制御量を予めメモリ（図示省略）に記憶されている初期値に設定する。より具体的には、ミラー駆動信号および共振周波数調整部６５３に与える信号の電気特性値（周波数、電圧や電流）をメモリから読み出し、設定している。また、検知信号Ｈsyncの出力数を示すカウント値Ｎをゼロにリセットする（ステップＳ１２）。
【００３５】
こうして、初期設定が完了すると、上記した初期値でミラー駆動が開始される（ステップＳ１３）。このとき、偏向器６５の振幅は図８に示すようにゼロから徐々に増大していく。そして、振幅がセンサ位置（Ｈsync相当角θs）に達する、つまり走査光ビームが光検知センサ６０を通過するタイミングで検知信号Ｈsyncが光検知センサ６０から出力される。これにより、レーザー光源６２からの光ビームの射出が確認されるとともに、光検知センサ６０からの検知信号Ｈsyncに基づく書込タイミング補正処理（ステップＳ２）が可能となる。
【００３６】
そこで、この実施形態では、光ビームの振幅がほぼ一定となり、振動動作が安定化したことを確認するため、検知信号Ｈsyncが４回以上出力されるのを待って（ステップＳ１４〜Ｓ１６）と、起動処理を終了して書込タイミング補正処理に移行する。なお、検知信号Ｈsyncの個数、つまりカウント値Ｎは「４」に限定されるものではなく、「１」以上の値を設定することができる。また、検知信号Ｈsyncの数ではなく、安定化に必要な時間を予め求めておき、ミラー駆動開始から当該時間が経過するのを待って起動処理を終了するように構成してもよい。
【００３７】
図９は図１の画像形成装置で実行される書込タイミング補正処理を示すフローチャートである。また、図１０は書込タイミング補正処理の動作を示す図である。さらに、図１１は往復書込動作および書込タイミング補正処理の動作を示す図である。ここでは、書込タイミング補正処理について説明する前に、往復書込動作について簡単に説明する。この実施形態では、第１検知信号Ｈsync1を基準として往路書込および復路書込が実行される。より具体的には、第１検知信号Ｈsync1が出力されると、その信号出力から往路側（第１）待機時間Ｔw1が経過した時点より所定の書込時間Ｔvだけ往路光ビームによりライン潜像を書き込む（往路書込）のに続けて該第１検知信号Ｈsync1の出力から復路側（第２）待機時間Ｔw2が経過した時点より書込時間Ｔvだけ復路光ビームによりライン潜像を書き込む（復路書込）。理想状態では、図１１（ａ）に示すように、往路側および復路側待機時間Ｔw1、Ｔw2をそれぞれ予め設定した時間Ｔa、Ｔw2iに設定すると、感光体２における、光検知センサ６０に相当する位置（センサ位置）から往路書込の往路側書込端部までの距離Ｋaと、復路書込の往路側書込端部からセンサ位置までの距離Ｋbとはほぼ一致する。したがって、往路書込と復路書込との間に主走査方向Ｘにおける相対的な位置ずれは発生せず、良好な画像を形成することができる。しかしながら、種々の要因により偏向器６５の振動特性が変動して理想状態からはずれと、同図（ｂ）に示すように、往路書込と復路書込とが主走査方向Ｘにおいて相対的にずれてしまう。この問題を解決するために、書込タイミング補正処理（ステップＳ２）が実行される。
【００３８】
この書込タイミング補正処理（ステップＳ２）は書込タイミング調整部１０２により実行されるものであり、検知信号Ｈsyncに基づき復路側待機時間Ｔw2を補正して復路書込に関するビデオリクエスト信号を出力するタイミングを調整する。なお、この実施形態では、往路側待機時間Ｔw1について初期設定された値（＝Ｔa）のまま用いられ、往路書込に関するビデオリクエスト信号を出力するタイミングは固定されている。
【００３９】
まず最初のステップＳ２０１でインターバル時間Ｔhiとセンサ到達時間Ｔbとをゼロにリセットする。ここで、「インターバル時間Ｔhi」とは、光検知センサ６０から連続して出力される２つの検知信号Ｈsyncの時間間隔を示すものであり、「センサ到達時間Ｔb」とは復路書込の終了時点から復路光ビームが光検知センサ６０に到達して第２検知信号Ｈsync2が出力されるまでの時間を示すものである。
【００４０】
そして、書込タイミング補正処理における最初の検知信号Ｈsyncが書込タイミング調整部１０２に与えられる（ステップＳ２０２でＹＥＳと判定される）と、カウントクロック発生部１０３からの計時用クロック信号に基づきインターバル時間Ｔhiのカウントアップを開始する（ステップＳ２０３）。このカウントアップは次の検知信号Ｈsyncが書込タイミング調整部１０２に入力されたと判定される（ステップＳ２０４でＹＥＳと判定される）まで実行され、これによって２つの検知信号Ｈsyncの時間間隔が求められる。
【００４１】
次のステップＳ２０５では、インターバル時間Ｔhiに基づきステップＳ２０２、Ｓ２０４でそれぞれ検知される検知信号の種類を判定する。すなわち、図１０に示すように、検知される信号の出力態様が「第２検知信号Ｈsync2→第１検知信号Ｈsync1」であるか、「第１検知信号Ｈsync1→第２検知信号Ｈsync2」であるのかによって、インターバル時間Ｔhiが大きく相違する。そこで、この実施形態では、インターバル時間Ｔhiが所定値よりも長いか短いかにより信号出力態様を判定し、ステップＳ２０４で検知された検知信号が第１検知信号Ｈsyncか、第２検知信号Ｈsyncかを判定している。
【００４２】
そして、ステップＳ２０５で「第１検知信号Ｈsync1→第２検知信号Ｈsync2」であり、ステップＳ２０４で検知された検知信号が第２検知信号Ｈsync2であると判定されたときには、さらに第１検知信号Ｈsync1が検知されるのを待った（ステップＳ２０６）後、ステップＳ２０７に進む。一方、ステップＳ２０５で「第２検知信号Ｈsync2→第１検知信号Ｈsync1」であり、ステップＳ２０４で検知された検知信号が第１検知信号Ｈsync1であると判定されたときには、そのままステップＳ２０７に進む。
【００４３】
このステップＳ２０７では、カウントクロック発生部１０３からの計時用クロック信号に基づき第１検知信号Ｈsync1の出力からの経過時間を計測する。そして、その経過時間が（Ｔw2i＋Ｔv）に達すると、センサ到達時間Ｔbの計時を行う（ステップＳ２０９〜Ｓ２１０）。すなわち、ステップＳ２０８でＹＥＳと判定された時点よりカウントクロック発生部１０３からの計時用クロック信号に基づくセンサ到達時間Ｔbのカウントアップを開始する（ステップＳ２０９）。このカウントアップは、第２検知信号Ｈsync2の出力が確認される（ステップＳ２１０でＹＥＳと判定される）まで実行され、こうしてセンサ到達時間Ｔbが求められる。
【００４４】
そこで、次式
Ｔw2＝Ｔw2i＋（Ｔb−Ｔa）  …  (1)
にしたがって復路側待機時間Ｔw2を補正する（ステップＳ２１１）。その理由について、図１１（ｂ）および（ｃ）を参照しながら説明する。理想状態からはずれた状態で往復書込を行うと、往路書込と復路書込との相対位置ずれ量Ｋcは（Ｔb−Ｔa）に相当することとなる。したがって、上記式(1)に基づき復路側待機時間Ｔw2を補正すると、ずれ量Ｋcが解消されて良好な画像を形成することができる。
【００４５】
こうして復路側待機時間Ｔw2を補正して書込タイミング補正処理を終了すると、その後に第１検知信号Ｈsync1が出力されるたびに往復書込（ステップＳ３〜Ｓ８）が繰り返される（書込工程）。すなわち、図６に示すように、ステップＳ３で第１検知信号Ｈsync1が出力されると、第１検知信号Ｈsync1の出力からの経過時間の計測が開始される（ステップＳ４）。そして、経過時間が本発明の「第１待機時間」に相当する往路側待機時間Ｔw1に達する（ステップＳ５）と、書込タイミング調整部１０２から画像出力部１１２にビデオリクエスト信号が出力される。これを受けて、画像出力部１１２がビデオクロック信号ＶＣを基準として画像信号Ｓvを出力して往路書込を実行する（ステップＳ６）。
【００４６】
また、経過時間が本発明の「第２待機時間」に相当する復路側待機時間Ｔw2に達する（ステップＳ７）と、書込タイミング調整部１０２から画像出力部１１２にビデオリクエスト信号が出力される。これを受けて、画像出力部１１２がビデオクロック信号ＶＣを基準として画像信号Ｓvを出力して復路書込を実行する（ステップＳ８）。なお、ステップＳ９で書込終了と判定されるまで、上記した一連の往復書込（ステップＳ３〜Ｓ８）が繰り返して実行されて感光体２への２次元潜像の書込（書込工程）が実行される。
【００４７】
以上のように、この実施形態によれば、書込工程（ステップＳ３〜Ｓ９）を実行する前に書込タイミング補正処理が実行されるため、その補正処理により補正された復路側待機時間Ｔw2で復路書込が行われ、往路書込と復路書込との主走査方向Ｘにおける相対位置ずれが解消される。その結果、高品質な画像が形成される。
【００４８】
図１２は本発明にかかる画像形成方法の他の実施形態を示すフローチャートである。この実施形態が先の実施形態と大きく相違する点は、往復書込（ステップＳ３〜Ｓ８）を行うたびに書込タイミング補正処理（ステップＳ２）と同様の補正処理（ステップＳ２２）を実行している点である。すなわち、画像形成指令が与えられると、画像形成開始前に起動処理（ステップＳ１）を実行し、さらに書込タイミング補正処理（ステップＳ２）を実行する。そして、感光体２を副走査方向Ｙに移動させながら往復書込（ステップＳ３〜Ｓ８）を繰り返して行って２次元潜像を形成する。この最初の往復書込については、書込タイミング補正処理により補正された復路側待機時間Ｔw2に基づき復路書込のタイミングを調整して往路書込と復路書込との相対位置ずれを防止する。また、この復路書込が完了すると、次の往復書込に先立って、本発明の「書込中補正工程」に相当する書込タイミング補正処理（ステップＳ２２）を実行して復路側待機時間Ｔw2を補正する。すなわち、往復書込の後半では復路光ビームによる書込が完了した後に、センサ到達時間Ｔbをゼロにクリアした（ステップＳ２２１）後、カウントクロック発生部１０３からの計時用クロック信号に基づくセンサ到達時間Ｔbのカウントアップを開始する（ステップＳ２２２）。このカウントアップは、第２検知信号Ｈsync2の出力が確認される（ステップＳ２２３でＹＥＳと判定される）まで実行され、こうしてセンサ到達時間Ｔbが求められる。そして、式(1)にしたがって復路側待機時間Ｔw2を補正する（ステップＳ２２４）。
【００４９】
こうして復路側待機時間Ｔw2の補正が完了すると、ステップＳ９に進み書込終了が否かを判定し、書込処理が終了するまでステップＳ３に戻る。これにより、次の第１検知信号Ｈsync1が出力されると往復書込が繰り返されるが、２回目以降の往復書込では、往路書込については最初と同じ書込タイミング（往路側待機時間Ｔw1）で行われる一方、復路書込については直前の書込タイミング補正処理（ステップＳ２２）により補正された書込タイミング（復路側待機時間Ｔw2）で行われる。このように往復書込を連続的に行いながら、復路側（第２）待機時間Ｔw2を補正することによって、書込処理の実行中に偏向器６５の振動特性が変動したとしても、それに追随して復路書込の開始位置が調整されて往路書込との相対位置ずれが解消される。したがって、この実施形態によれば、より高品質な画像形成が可能となる。
【００５０】
なお、本発明は上記した実施形態に限定されるものではなく、その趣旨を逸脱しない限りにおいて上述したもの以外に種々の変更を行うことが可能である。例えば、上記実施形態では、往路書込（往路ライン潜像）と復路書込（復路ライン潜像）との主走査方向Ｘにおける相対位置ずれを解消するために、復路（第２）待機時間Ｔw2のみを補正しているが、もちろん、往路側および復路側待機時間Ｔw1、Ｔw2の両方を補正するようにしてもよい。より具体的には、図１３および図１４に示すように、センサ到達時間Ｔbが求まると、上記式(1)に代えて、以下の式
Ｔw1＝Ｔa＋（Ｔb−Ｔa）／２＝（Ｔa＋Ｔb）／２  …  (2)
Ｔw2＝Ｔw2i＋（Ｔb−Ｔa）／２  …  (3)
にしたがって往路側および復路側待機時間Ｔw1、Ｔw2を補正する（ステップＳ２１２）。その理由について、図１４（ｂ）および（ｃ）を参照しながら説明する。理想状態からはずれた状態で往復書込を行うと、往路書込と復路書込との相対位置ずれ量Ｋcは（Ｔb−Ｔa）に相当することとなる。したがって、上記式(2)に基づき往路側待機時間Ｔw1を補正すると、往路側距離Ｋaと復路側距離Ｋbとはほぼ等しくなり、ずれ量Ｋcが解消されて良好な画像を形成することができる。なお、この実施形態においても、図１２の実施形態と同様に、各往復書込を行うたびに書込タイミング補正処理（ステップＳ２２；書込中補正工程）を実行してもよく、同補正処理を行った直後に行われる往復書込において、同補正処理により補正された書込タイミングで往路光ビームおよび復路光ビームによる潜像書込を行うことによって、書込工程の実行中に偏向器６５の振動特性が変動したとしても、それに追随して往路書込および復路書込の開始位置が調整されて両者の相対的な位置ずれが解消される。
【００５１】
また、上記実施形態においては、書込処理（ステップＳ３〜Ｓ９）前に書込タイミング補正処理（ステップＳ２）を実行しているが、例えば図１５に示すように、予め書込処理前に往路側（第１）待機時間Ｔw1および復路側（第２）待機時間Ｔw2をメモリに記憶しておき、書込処理前にメモリから待機時間Ｔw1，Ｔw2を読み出した（ステップＳ２００）後に、書込処理を開始するように構成してもよい。この実施形態では、最初の往復書込については、メモリに記憶された待機時間Ｔw1、Ｔw2に基づき書込タイミングを調整して往路書込と復路書込との相対位置ずれを防止する。また、この復路書込が完了すると、次の往復書込に先立って、書込タイミング補正処理（ステップＳ２２）を実行して復路側待機時間Ｔw2を補正してもよい。
【００５２】
また、上記実施形態ではセンサ到達時間Ｔbを１回求めて待機時間を補正しているが、センサ到達時間Ｔbを複数回求め、これらの複数の値に基づき待機時間を補正するように構成してもよい。
【００５３】
また、上記実施形態では、カラー画像形成装置に本発明が適用されているが、本発明の適用対象はこれに限定されるものではなく、いわゆる単色画像を形成するモノクロ画像形成装置に対しても本発明を適用することができる。
【００５４】
さらに、上記実施形態では、振動ミラーとしてマイクロマシニング技術を用いて形成された偏向器６５を採用しているが、共振振動する振動ミラーを用いて光ビームを偏向して潜像担持体上に光ビームを走査させる画像形成装置全般に本発明を適用することができる。
【図面の簡単な説明】
【００５５】
【図１】本発明にかかる画像形成方法の一実施形態を適用可能な画像形成装置を示す図。
【図２】図１の画像形成装置の電気的構成を示すブロック図。
【図３】図１の画像形成装置の露光ユニットの構成を示す主走査断面図。
【図４】図３の露光ユニットにおける光ビームの走査範囲を示す図。
【図５】図１の画像形成装置の露光ユニットおよび露光制御ユニットを示す図。
【図６】本発明にかかる画像形成方法の一実施形態を示すフローチャート。
【図７】図１の画像形成装置で実行される起動処理を示すフローチャート。
【図８】起動処理の動作を示す図。
【図９】画像形成装置で実行される書込タイミング補正処理を示すフローチャート。
【図１０】書込タイミング補正処理の動作を示す図。
【図１１】往復書込動作および書込タイミング補正処理の動作を示す図。
【図１２】本発明にかかる画像形成方法の他の実施形態を示すフローチャート。
【図１３】本発明にかかる画像形成方法の別の実施形態を示すフローチャート。
【図１４】往復書込動作および書込タイミング補正処理の動作を示す図。
【図１５】本発明にかかる画像形成方法のさらに別の実施形態を示すフローチャート。
【符号の説明】
【００５６】
２，２Ｙ，２Ｍ，２Ｃ，２Ｋ…感光体（潜像担持体）、  ６０…光検知センサ、  ６５１…偏向ミラー面、  ＥＩＲ…有効画像領域、  Ｈsync…検知信号、  Ｈsync1…第１検知信号、  Ｈsync2…第２検知信号、  Ｔb…センサ到達時間、  Ｔv…書込時間、  Ｔw1…往路側待機時間（第１待機時間）、  Ｔw2…復路側待機時間（第２待機時間）、  Ｘ…主走査方向、  （＋Ｘ）…（主走査方向の）往路側、  （−Ｘ）…（主走査方向の）復路側、  Ｙ…副走査方向
【図１】
2007098702.tif 000003
【図２】
2007098702.tif 000004
【図３】
2007098702.tif 000005
【図４】
2007098702.tif 000006
【図５】
2007098702.tif 000007
【図６】
2007098702.tif 000008
【図７】
2007098702.tif 000009
【図８】
2007098702.tif 000010
【図９】
2007098702.tif 000011
【図１０】
2007098702.tif 000012
【図１１】
2007098702.tif 000013
【図１２】
2007098702.tif 000014
【図１３】
2007098702.tif 000015
【図１４】
2007098702.tif 000016
【図１５】
2007098702.tif 000017